【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
１つまたは複数の撮像装置と無線通信により接続される制御装置であって、
ユーザによる操作を検出する検出手段と、
前記検出手段による所定動作の開始を指示する操作の検出に応じて、前記所定動作の開始を指示するコマンドを、前記無線通信を介してマルチキャストまたはブロードキャストにより当該制御装置に接続された撮像装置の各々に送信し、前記検出手段による前記所定動作の終了を指示する操作の検出に応じて、前記所定動作の終了を指示するコマンドを、前記無線通信を介して前記撮像装置の各々に対してユニキャストにより送信する送信手段と、
前記所定動作の終了を指示するコマンドの送信に対する前記撮像装置からの応答を確認し、応答の確認がとれない撮像装置に対して、前記所定動作の終了を指示するコマンドを前記送信手段によりユニキャストにより再送する制御手段とを備えることを特徴とする制御装置。
【請求項２】
１つまたは複数の撮像装置と無線通信により接続される制御装置であって、
ユーザによる操作を検出する検出手段と、
前記検出手段による所定動作の開始を指示する操作の検出に応じて、前記所定動作の開始を指示するコマンドを、前記無線通信を介してマルチキャストまたはブロードキャストにより当該制御装置に接続された撮像装置の各々に送信し、前記検出手段による前記所定動作の終了を指示する操作の検出に応じて、前記所定動作の終了を指示するコマンドを、前記無線通信を介してマルチキャストまたはブロードキャストにより前記撮像装置の各々に送信する送信手段と、
前記撮像装置の各々において前記所定動作の開始を指示するコマンドの受信に応じて開始された、前記所定動作に関わる操作の状態の問い合わせに応じて、前記操作の状態を示す情報を問い合わせ元の撮像装置へ送信する応答手段とを備えることを特徴とする制御装置。
【請求項３】
撮像手段を更に備え、
前記所定動作は前記撮像手段による撮像に関わる動作であり、
前記撮像手段は、前記検出手段による前記所定動作の開始を指示する操作及び前記所定動作の終了を指示する操作の検出に応じて、前記所定動作の実行を制御することを特徴とする請求項１または２に記載の制御装置。
【請求項４】
前記所定動作の開始を指示するコマンドとは前記撮像手段による連続撮影を開始させるコマンドであり、前記所定動作の終了を指示するコマンドとは前記撮像手段による前記連続撮影を停止させるコマンドであることを特徴とする請求項３に記載の制御装置。
【請求項５】
１つまたは複数の撮像装置と制御装置とが無線通信により接続された制御システムであって、
前記制御装置において、ユーザによる操作を検出する検出手段と、
前記制御装置において、前記検出手段による所定動作の開始を指示する操作の検出に応じて、前記所定動作の開始を指示するコマンドを、前記無線通信を介してマルチキャストまたはブロードキャストにより前記撮像装置の各々に送信し、前記検出手段による前記所定動作の終了を指示する操作の検出に応じて、前記所定動作の終了を指示するコマンドを、前記無線通信を介して前記撮像装置の各々に対してユニキャストにより送信する送信手段と、
前記撮像装置の各々において、前記送信手段により送信された前記所定動作の開始を指示するコマンドの受信に応じて前記所定動作を開始し、前記送信手段により送信された前記所定動作の終了を指示するコマンドの受信に応じて前記所定動作を終了させるとともに応答を前記制御装置へ送信する処理手段と、
前記制御装置において、前記撮像装置から送信される前記応答を確認し、応答の確認がとれない撮像装置に対して、前記所定動作を終了を指示するコマンドを前記送信手段によりユニキャストにより再送する制御手段とを備えることを特徴とする制御システム。
【請求項６】
１つまたは複数の撮像装置と制御装置とが無線通信により接続された制御システムであって、
前記制御装置において、所定動作の開始を指示する操作の検出に応じて、前記所定動作の開始を指示するコマンドを、前記無線通信を介してマルチキャストまたはブロードキャストにより前記撮像装置の各々に送信し、前記所定動作の終了を指示する操作の検出に応じて、前記所定動作の終了を指示するコマンドを、前記無線通信を介してマルチキャストまたはブロードキャストにより前記撮像装置の各々に送信する送信手段と、
前記撮像装置において、前記所定動作の開始を指示するコマンドの受信に応じて前記所定動作を開始するとともに、前記所定動作に関わる操作の状態を前記制御装置に所定の周期で問い合わせる実行手段と、
前記制御装置において、前記撮像装置の各々からの、前記所定動作に関わる操作の状態の問い合わせに応じて、前記操作の状態を示す情報を問い合わせ元の撮像装置へ送信する応答手段と、
前記撮像装置において、前記所定の動作の終了を指示するコマンドを受信した場合、または、前記操作の状態を示す情報が前記所定の動作の終了を示す場合、前記所定動作を終了するとともに、前記問い合わせの送信を停止する停止手段とを備えることを特徴とする制御システム。
【請求項７】
１つまたは複数の撮像装置と無線通信により接続される制御装置による、撮像装置へのコマンド送信方法であって、
送信手段が、所定動作の開始を指示する操作の検出に応じて、前記所定動作の開始を指示するコマンドを、前記無線通信を介してマルチキャストまたはブロードキャストにより当該制御装置に接続された撮像装置の各々に送信し、前記所定動作の終了を指示する操作の検出に応じて、前記所定動作の終了を指示するコマンドを、前記無線通信を介して前記撮像装置の各々に対してユニキャストにより送信する送信工程と、
再送手段が、前記所定動作の終了を指示するコマンドの送信に対する前記撮像装置からの応答を確認し、応答の確認がとれない撮像装置に対して、前記所定動作の終了を指示するコマンドをユニキャストにより再送する再送工程とを有することを特徴とするコマンド送信方法。
【請求項８】
１つまたは複数の撮像装置と無線通信により接続される制御装置による、撮像装置へのコマンド送信方法であって、
送信手段が、所定動作の開始を指示する操作の検出に応じて、前記所定動作の開始を指示するコマンドを、前記無線通信を介してマルチキャストまたはブロードキャストにより当該制御装置に接続された撮像装置の各々に送信し、前記所定動作の終了を指示する操作の検出に応じて、前記所定動作の終了を指示するコマンドを、前記無線通信を介してマルチキャストまたはブロードキャストにより前記撮像装置の各々に送信する送信工程と、
応答手段が、前記撮像装置の各々において前記所定動作の開始を指示するコマンドの受信に応じて開始された、前記所定動作に関わる操作の状態の問い合わせに応じて、前記操作の状態を示す情報を問い合わせ元の撮像装置へ送信する応答工程とを有することを特徴とするコマンド送信方法。
【請求項９】
請求項７または８に記載のコマンド送信方法の各工程をコンピュータに実行させるためのプログラム。
【手続補正２】
【補正対象書類名】明細書
【補正対象項目名】０００６
【補正方法】変更
【補正の内容】
【０００６】
上記の目的を達成するための本発明の一態様による制御装置は以下の構成を備える。すなわち、
１つまたは複数の撮像装置と無線通信により接続される制御装置であって、
ユーザによる操作を検出する検出手段と、
前記検出手段による所定動作の開始を指示する操作の検出に応じて、前記所定動作の開始を指示するコマンドを、前記無線通信を介してマルチキャストまたはブロードキャストにより当該制御装置に接続された撮像装置の各々に送信し、前記検出手段による前記所定動作の終了を指示する操作の検出に応じて、前記所定動作の終了を指示するコマンドを、前記無線通信を介して前記撮像装置の各々に対してユニキャストにより送信する送信手段と、
前記所定動作の終了を指示するコマンドの送信に対する前記撮像装置からの応答を確認し、応答の確認がとれない撮像装置に対して、前記所定動作の終了を指示するコマンドを前記送信手段によりユニキャストにより再送する制御手段とを備える。